(57)【要約】                                                                        【課題】屋根面の融雪ならびに氷堤や氷柱の発生防止のために設置する融雪用線状発熱材を効果的に固定するための用具。【解決手段】底部と頂部とを有する折板屋根の底部の先端近辺に設けてある各開口の下側に沿い連続する融雪水用の樋があり、その所定間隔位置に融雪水流下用のパイプが垂下している場所において、各開口を跨ぎ、かつ折板屋根の盛り上がり面の裏面に沿い線状発熱材が連通していている場合、開口部をよぎる線状発熱材を固定するため、折板屋根の底部の開口から先端方向の位置に、ビス止め孔１を所要数有し、互いに直交する横片２と縦片３とからなる断面Ｌ字状の幅広の金具４が固定され、さらに当該金具４が、その横片２と縦片３との交差する横片２の基部に、その場における線状発熱材５の周面の上半を所定幅被覆するごとく鉄片サドル（先端部の断面がＣ字状の帯状片）に亜鉛を被覆した抑え金具７を固定してある。【選択図】      図１
0003114600.tif 000002
【実用新案登録請求の範囲】
【請求項１】
底部と頂部とを有する折板屋根の底部の先端近辺に設けてある各開口の下側に沿い連続する融雪水用の樋があり、その所定間隔位置に融雪水流下用のパイプが垂下している場所において、各開口を跨ぎ、かつ折板屋根の盛り上がり面の裏面に沿い線状発熱材が連通していている場合、開口部をよぎる線状発熱材の位置を固定するため、折板屋根の底部の開口から先端近辺の位置に、ビス止め孔（１）を所要数有し、互いに直交する横片（２）と縦片（３）とからなる断面Ｌ字状の幅広の金具（４）が固定され、さらに当該金具（４）が、その横片（２）と縦片（３）との交差する横片（２）の基部に、その場における線状発熱材（５）の周面の上半を所定幅被覆するごとく鉄片サドルに亜鉛を被覆した抑え金具（７）を固定していることを特徴とする融雪用線状発熱材（５）の固定具。
【考案の詳細な説明】
【技術分野】
【０００１】
本考案は融雪用線状発熱材の固定具に関する。
【背景技術】
【０００２】
従来、金属屋根の積雪層が融解し、氷堤や氷柱の発生を防止するため融雪パネルを屋根面に敷設したものや、屋根面の融雪装置として、線状のヒータを内蔵した長尺の発熱部材を軒先鼻隠しに配設し、軒先近辺を加温するようにしたもの（特許文献１）もあるが、融雪や氷堤・氷柱の発生防止の効果が少なく、かえって、氷堤・氷柱の落下の危険性が懸念される。また、屋根の融雪装置として、ロープ状ヒータを屋根の横方向に直線的に設置するため、ロープ状ヒータを被覆する部材を屋根面に固定したもの（特許文献２）が見受けられるが、ロープ状ヒータを被覆する部材の調達が煩雑で費用もかかり、設置位置によっては氷堤や氷柱の発生を招く危険性もあり、不安な設備である。                        
【特許文献１】特開２００４−１６２３９６
【特許文献２】特開２００４−１７６４８９
【考案の開示】
【考案が解決しようとする課題】
【０００３】
本考案は屋根面の融雪ならびに氷堤や氷柱の発生防止のために設置する融雪用線状発熱材を効果的に固定するための固定具を提供せんとするものである。
【課題を解決するための手段】
【０００４】
ここにおいて本考案者は、底部と頂部とを有する折板屋根の底部の先端近辺に設けてある各開口の下側に沿い連続する融雪水用の樋があり、その所定間隔位置に融雪水流下用のパイプが垂下している場所において、各開口を跨ぎ、かつ折板屋根の盛り上がり面の裏面に沿い線状発熱材が連通していている場合、開口部をよぎる線状発熱材を固定するため、折板屋根の底部の開口から先端近辺の位置に、ビス止め孔１を所要数有し、互いに直交する横片２と縦片３とからなる断面Ｌ字状の幅広の金具４が固定され、さらに当該金具４が、その横片２と縦片３との交差する横片２の基部に、その場における線状発熱材５の周面の上半を所定幅被覆するごとく鉄片サドル（先端部の断面がＣ字状の帯状片）に亜鉛を被覆した抑え金具７を固定していることを特徴とする融雪用線状発熱材５の固定具を見出すに至った。
【０００５】
本考案で対象となる折板屋根は底部と頂部とを有する金属板の屋根で、一般に緩やかな傾斜をなしている。そして、軒先付近に雪止め設備の有る場合や、折板屋根の頂部に保護管付きの熱線を設けてある場合もある。また、折板屋根の頂部を補強するため頂部の両端に補強片を当てている場合が多い。
【０００６】
本考案の融雪用線状発熱材の固定具の取り付けにあたっては、たとえば、予め抑え金具７のナットを緩めておいて移動しやすくしておき、線状発熱材を抑え金具７で被覆したのちナットを緊締して線状発熱材５を固定する。そして、そのあとで融雪用線状発熱材の固定具のビス止め孔１にビスを螺合して固定具を折板屋根の底部の先端近辺に固定すればよい。
【考案の効果】
【０００７】
本考案の固定具により開口部をよぎる線状発熱材が効果的に固定されるので、線状発熱材の剛性にもとづき折板屋根の盛り上がり面の裏面に沿う線状発熱材も固定されることになり、折板屋根の先端近辺での融氷雪効果が発揮され、氷堤や氷柱の発生を防止し、それらの落下による事故を防止することができる。
【考案を実施するための最良の形態】
【０００８】
本考案の線状発熱材５の固定具は、屋根の先端近辺に設けてある各開口の下側に沿い連続する融雪水用の樋があり、その所定間隔位置に融雪水落下用のパイプが垂下している場所において使用される、通常、扁平な線状発熱材の固定具であって、各開口を跨ぎ、かつ折板屋根の盛り上がり面のの裏側面に沿い連通していている場合、線状発熱材の位置を固定する部材であって、折板屋根の底部の開口から先端方向に、ビス止め孔１を所要数有し、互いに直交する横片２と縦片３とからなる断面Ｌ字状の幅広の金具４が固定され、さらに、当該金具４が、その横片２と縦片３との交差する付近の内側で横片２の基部に、その場における線状発熱材５の周面の上半所定幅を被覆するごとく亜鉛を被覆した先端部の断面がＣ字状の帯状鉄片（鉄片サドル）である抑え金具７を固定しているものである。なお、線状発熱材の固定具は防錆上、抑え金具７は亜鉛を被覆した鉄片サドルを用い、他のＬ字状金具や緊締用の付属品はステンレス製のものを用いる。また、抑え金具７の固定にはボルト・ナットの使用が好適である。
【０００９】
また、本考案で対象となる線状発熱材は通常、使用効果上、断面が扁平な楕円形であり、その横軸両端の銅の撚り線である母線導線を被覆して炭素材からなる導電性発熱抵抗体が懸架してあり、それを絶縁体で被覆し、さらに銅線を斜め交差に編成したブレードで緊締被覆し、外層を耐熱ゴムの絶縁体で被覆してあるものである。なお、一例として扁平な線状発熱材は厚さ６ｍｍで、米国レイケム（Ｒａｙｃｈｅｍ）社のＨ６２２型が好適に使用される。
【００１０】
扁平な線状発熱材の場合の固定具本体の一例として、断面Ｌ字状の幅広の金具４は厚さが２ｍｍで幅が４９ｍｍであり、横片２の長さが１０２ｍｍ、縦片３の長さが５２ｍｍであり、抑え金具７は幅１２ｍｍで、線状発熱材の厚さ６ｍｍ用の断面Ｃ字状部６の長さが１６ｍｍで、帯状部の長さが１２ｍｍで、そこにボルトとナット等を使用する。使用状態を図１に示すので参照されたい。
【産業上の利用可能性】
【００１１】
本考案の融雪用線状発熱材５の固定具は使用が簡便なので融雪設備器具として広く使用されることが充分予想される。
【図面の簡単な説明】
【００１２】
【図１】実施例による線状発熱材の固定具（ビスやボルと・ナット等は未装着）とその近辺を示す説明図である。
【符号の説明】
【００１３】
１  ビス止め孔
２  横片
３  縦片
４  断面Ｌ字状の幅広の金具
５  扁平な線状発熱材
６  断面Ｃ字状部
７  抑え金具
【図１】
0003114600.tif 000003
【手続補正書】
【提出日】平成17年7月13日(2005.7.13)
【手続補正１】
【補正対象書類名】実用新案登録請求の範囲
【補正対象項目名】請求項１
【補正方法】変更
【補正の内容】
【請求項１】
底部と頂部とを有する折板屋根の底部の先端近辺に設けてある各開口の下側に沿い連続する融雪水用の樋があり、その所定間隔位置に融雪水流下用のパイプが垂下している場所において、各開口を跨ぎ、かつ折板屋根の盛り上がり面の裏面に沿い線状発熱材が連通していている場合、開口部をよぎる線状発熱材の位置を固定するため、折板屋根の底部の開口から先端近辺の位置に、ビス止め孔（１）を所要数有し、互いに直交する横片（２）と縦片（３）とからなる断面Ｌ字状の幅広の金具（４）が固定され、さらに当該金具（４）が、その横片（２）と縦片（３）との交差する横片（２）の基部に、その場における線状発熱材（５）の周面の上半を所定幅被覆するごとく鉄片サドルに亜鉛を被覆した抑え金具（７）を固定していることを特徴とする融雪用線状発熱材（５）の固定具。